(57)【要約】【課題】Ｈスイッチの接続されるビデオ信号線に応じた表示ムラ発生を低減する。【解決手段】各画素に表示信号を供給するビデオ信号線２５０と、ビデオ信号線２５０から表示領域の対応列のデータライン１４に、表示信号を供給するためのＨスイッチ２４０とを備える。複数のビデオ信号線２５０は表示領域の周辺領域に併設配置され、Ｈスイッチ２４０はビデオ信号線２５０と表示領域との間で、データ出力制御信号に応じコンタクトホールを介してビデオ信号線２５０に接続された接続配線２６０を、対応するデータライン１４に電気的に接続する。コンタクトホールｈ２５は、表示領域に近い位置のビデオ信号線と対応接続配線とでは該ビデオ信号線の線幅中央より表示領域の遠端側、表示領域から遠い位置のビデオ信号線と接続配線とは、該ビデオ信号線の表示領域の近端側に形成し、配線抵抗差による書き込み遅延量の差を低減する。【選択図】図２
2007240670.tif 000002
【特許請求の範囲】
【請求項１】
マトリクス状に配置された画素を備える表示領域と、
前記表示領域内の前記複数の画素に表示信号を供給するビデオ信号線と、
前記ビデオ信号線から、前記表示領域の対応する列の画素に接続されたデータ線に対し、前記表示信号を選択的に供給するためのスイッチ回路と、
を備える表示装置であって、
前記ビデオ信号線は、前記表示領域の外側に該表示領域の辺に沿って、複数本互いに並んで形成され、
前記スイッチ回路は、前記ビデオ信号線と、前記表示領域との間に、データ線毎に設けられ、該スイッチ回路は、データ出力制御信号に応じて、対応する前記ビデオ信号線にコンタクトホールを介して接続された接続配線を、対応する前記データ線に電気的に接続し、
前記表示領域に最も近いビデオ信号線と、最も遠いビデオ信号線とで、前記接続配線を前記ビデオ信号線に接続するコンタクトホールの各信号線線幅方向における形成位置が異なることを特徴とする表示装置。
【請求項２】
マトリクス状に配置された画素を備える表示領域と、
前記表示領域内の前記複数の画素に表示信号を供給するビデオ信号線と、
前記ビデオ信号線から、前記表示領域の対応する列の画素に接続されたデータ線に対し、前記表示信号を選択的に供給するためのスイッチ回路と、
を備える表示装置であって、
前記ビデオ信号線は、前記表示領域の外側に該表示領域の辺に沿って、複数本互いに並んで形成され、
前記スイッチ回路は、前記ビデオ信号線と、前記表示領域との間に、データ線毎に設けられ、該スイッチ回路は、データ出力制御信号に応じて、対応する前記ビデオ信号線にコンタクトホールを介して接続された接続配線を、対応する前記データ線に電気的に接続し、
少なくとも前記表示領域に最も近いビデオ信号線と、対応する前記接続配線とのコンタクトホールは、該ビデオ信号線の線幅方向の中央よりも前記表示領域に対する遠端側に形成され、
少なくとも、前記表示領域から最も遠いビデオ信号線と、対応する前記接続配線とのコンタクトホールは、該ビデオ信号線の線幅方向の中央よりも前記表示領域の近端側に形成されていることを特徴とする表示装置。
【請求項３】
請求項１又は請求項２に記載の表示装置において、
前記ビデオ信号線は、少なくとも３本以上の奇数本設けられ、その内、中央部に配されている前記ビデオ信号線と、対応する接続配線とのコンタクトホールは、該ビデオ信号線の線幅方向の中央領域に形成されていることを特徴とする表示装置。
【請求項４】
請求項１又は請求項２に記載の表示装置において、
前記ビデオ信号線は、４本以上設けられ、その内、中央部に形成されている２本以上の前記ビデオ信号線と対応する接続配線とのコンタクトホールは、それぞれのビデオ信号線の線幅方向の中央領域に形成されていることを特徴とする表示装置。
【請求項５】
請求項１又は請求項２に記載の表示装置において、
前記ビデオ信号線は、２ｎ本設けられ（但しｎは、１以上の自然数）、
前記表示領域の近接側のｎ本のビデオ信号線と、対応する接続配線とのコンタクトホールは、それぞれのビデオ信号線の線幅方向の表示領域の遠端側に形成され、
前記表示領域の遠端側のｎ本のビデオ信号線と、対応する接続配線とのコンタクトホールは、それぞれのビデオ信号線の線幅方向の表示領域の近端側に形成されていることを特徴とする表示装置。
【請求項６】
マトリクス状に配置された画素を備える表示領域と、
前記表示領域内の前記複数の画素に表示信号を供給するビデオ信号線と、
前記ビデオ信号線から、前記表示領域の対応する列の画素に接続されたデータ線に対し、前記表示信号を選択的に供給するためのスイッチ回路と、
を備える表示装置であって、
前記ビデオ信号線は、前記表示領域の外側に該表示領域の辺に沿って、複数本、互いに並んで形成され、
前記スイッチ回路は、前記ビデオ信号線と、前記表示領域との間に、データ線毎に設けられ、該スイッチ回路は、データ出力制御信号に応じて、対応する前記ビデオ信号線にコンタクトホールを介して接続された接続配線を、対応する前記データ線に電気的に接続し、
前記ビデオ信号線は、色毎にそれぞれ複数本設けられて色毎のビデオ信号群を構成し、
複数のビデオ信号線群の内、前記表示領域に最も近い群において、前記コンタクトホールは、各ビデオ信号線の線幅方向中央よりも前記表示領域の遠端側に形成され、
前記表示領域から最も遠い群では、前記コンタクトホールは、各ビデオ信号線の線幅方向中央よりも前記表示領域の近端側に形成されていることを特徴とする表示装置。
【請求項７】
請求項６に記載の表示装置において、
前記複数のビデオ信号線群の内、中央部に配されている前記ビデオ信号線群では、それぞれのビデオ信号線と、対応する接続配線とのコンタクトホールが、該ビデオ信号線の線幅方向の中央領域に形成されていることを特徴とする表示装置。
【請求項８】
請求項１〜請求項７のいずれか一項に記載の表示装置において、
前記接続配線は、対応するスイッチ回路から、接続されるビデオ信号線に向かって延び、かつ、該ビデオ信号線の前記表示領域の遠端側に配置された隣のビデオ信号線の形成領域の手前で終端していることを特徴とする表示装置。
【請求項９】
請求項１〜請求項８のいずれか一項に記載の表示装置において、
前記コンタクトホールの径をＬで示し、前記ビデオ信号線の線幅をｗで表した場合に、
２Ｌ≦ｗを満たすことを特徴とする表示装置。
【請求項１０】
請求項１〜請求項８のいずれか一項に記載の表示装置において、
前記コンタクトホールの形成位置は、前記ビデオ信号線の線幅方向の位置を前記表示領域の近端を０、遠端を線幅に等しいｗで示し、前記コンタクトホールの径を該ｗより小さい自然数Ｌで示すと、
各ビデオ信号線の前記表示領域の近端側に形成されるコンタクトホールの中心は、
Ｌ／２〜（ｗ／２−Ｌ／２）の間に設けられ、
各ビデオ信号線の前記表示領域の遠端側に形成されるコンタクトホールの中心は、
（ｗ／２＋Ｌ／２）〜（ｗ−Ｌ／２）の間に設けられることを特徴とする表示装置。
【請求項１１】
請求項１〜１０のいずれか一項に記載の表示装置において、
前記画素には、表示素子として、電流駆動型のエレクトロルミネッセンス素子が設けられていることを特徴とする表示装置。
【請求項１２】
請求項１〜１１のいずれか一項に記載の表示装置において、
前記複数のビデオ信号線のそれぞれには、対応する表示色毎のビデオ信号が供給され、
前記表示色毎のビデオ信号の内、最も振幅の大きい信号が、前記ビデオ信号線の内、前記表示領域に最も近い位置のビデオ信号線に供給されることを特徴とする表示装置。
【発明の詳細な説明】
【技術分野】
【０００１】
本発明は、例えば有機エレクトロルミネッセンス（以下、ＥＬ）素子などを各画素の表示素子として用いた表示装置のビデオ信号線周辺の構成に関する。
【背景技術】
【０００２】
図１２は、表示領域に複数の画素がマトリクス状に配置され、また各画素には、画素の表示素子を個別に制御するためのスイッチ素子（ここでは、薄膜トランジスタ：ＴＦＴ）が設けられたいわゆるアクティブマトリクス型の表示装置の概略パネル構成を示している。なお、図１２において、４つの画素のみ示し、各画素の表示素子は、液晶素子である。
【０００３】
表示領域の水平走査方向にはゲートライン（選択ライン）ＧＬが形成され、垂直走査方向にはデータラインＤＬが形成されている。また、各画素の保持容量Ｃｓを構成する第１容量電極と第２容量電極の内の一方の電極は、共通の容量ラインＳＬに接続され、該容量ラインＳＬは、図１２の例では、選択ラインＧＬと並行するように水平走査方向に形成されている。
【０００４】
このようなアクティブマトリクス型液晶表示パネルでは、画素回路のＴＦＴと同時又は同様の工程を経て表示領域５００の周辺部に、画素回路を制御駆動するための駆動回路を内蔵することができる。図１２では、表示領域５００の周辺の垂直走査方向に沿って垂直走査方向駆動回路（Ｖ系ドライバ）５１０が設けられ、水平走査方向に沿って水平走査方向駆動回路（Ｈ系ドライバ）６２０が設けられている。Ｖ系ドライバ５１０は、各行のゲートラインＧＬに対して、順次選択信号を出力する。Ｈ系ドライバ６２０は、Ｈ系シフトレジスタ６３０とスイッチ回路（Ｈスイッチ又はサンプルホールド回路）６４０、及び上記Ｈ系シフトレジスタ６３０とスイッチ回路６４０との間に設けられた複数本のビデオ信号線（ＶＬ）６５０を有する。
【０００５】
各ビデオ信号線６５０には、例えば、パネル外部から供給される色（Ｒ，Ｇ，Ｂ）の表示信号が色毎に供給され、このビデオ信号線６５０は、対応するＨスイッチ６４０を介して、各列のデータラインＤＬに接続されている。
【０００６】
Ｈスイッチ６４０は、画素ＴＦＴやＶ系、Ｈ系ドライバ５１０、６２０を構成するＴＦＴと同様のＴＦＴで構成され、そのゲート電極は、Ｈ系シフトレジスタ６３０の対応するレジスタ段の出力に接続されている。Ｈスイッチ６４０のソースドレインの一方は、接続配線６６０によって、対応するビデオ信号線６５０に接続されている。またソースドレインの他方は、対応するデータラインＤＬに接続されている。
【０００７】
Ｈスイッチ６４０のゲート電極にＨ系シフトレジスタ６３０からデータ出力制御信号が供給されるとＨスイッチ６４０はオンする。よって対応するビデオ信号線６５０に後述するコンタクトホールを介して接続された接続配線６６０と、オンしたＨスイッチ６４０と、を介して、データラインＤＬがビデオ信号線６５０に電気的に接続され、このデータラインＤＬにビデオ信号線６５０の表示信号が供給される。
【０００８】
上記ビデオ信号線６５０は、表示領域５００の各データラインＤＬにできる限り信号遅延無く表示信号を供給する必要があることから、その配線材料として、低抵抗のＡｌ等の金属材料が用いられる。この場合、接続配線６６０とこれに対応しないビデオ信号線６５０とは、レイアウト上、互いに絶縁を維持したまま交差させる必要があるため、接続配線６６０の材料として、上記ビデオ信号線６５０と同層かつ同一材料からなる金属配線は用いず、それ以外の導電材料を用いる。具体的に、接続配線６６０の配線材料としては、上記ビデオ信号線６５０の配線材料とは別の導電材料を用いることができるが、新たな層の形成工程を追加することなく別層とするには、ゲートラインＧＬと同じ金属層、又はＴＦＴの能動層に用いる例えば多結晶シリコン層などを採用することになる。
【０００９】
しかし、これらゲートラインＧＬと同じ金属層、多結晶シリコン層などは、上記ビデオ信号線６５０と比較して抵抗値が大きい。さらに、表示領域５００に近い位置のビデオ信号線６５０と対応するＨスイッチ６４０とを接続する接続配線６６０と、表示領域５００から遠い位置のビデオ信号線６５０と対応するＨスイッチ６４０とを接続する接続配線６６０とでは、その配線長の差が大きい。このように配線長の差が大きい上に、配線自体の配線抵抗値が大きいため、この接続配線の配線抵抗の差に起因したデータ書き込みがばらつき表示ムラの原因となってしまう。
【００１０】
なお、本発明に関連する文献としては、下記特許文献１が挙げられる。
【００１１】
【特許文献１】特開平１−２８９９１７号
【発明の開示】
【発明が解決しようとする課題】
【００１２】
特許文献１では、接続配線６６０の配線抵抗の差を緩和するために、この接続配線６６０の配線長ｌを変更することが提案されているが、具体的な配線方法については開示されていない。
【００１３】
図１３は、互いに異なるビデオ信号線６５０に接続される上記接続配線６６０の配線長を等しくする為に従来用いられている配線構造である。図１３に示すように、最も表示領域５００から遠い、つまりＨスイッチ６４０から遠いビデオ信号線６５０ｆに接続される接続配線６６０ｆは、直線状に配線されているが、このビデオ信号線６５０ｆよりもＨスイッチ６４０に近い位置に形成される残りのビデオ信号線６５０にそれぞれ接続される接続配線６６０ｍ、６６０ｎは、配線を蛇行させることで実質的な配線長がいずれも接続配線６６０ｆの配線長と等しく設計されている。このようなレイアウトを採用することで、配線抵抗の差を小さくすることができる。
【００１４】
しかし、製品開発は、様々な機種に対して迅速かつ精度良く行われることが非常に強く要求されている。ところが、図１３に示すような配線パターンを採用した場合、接続配線毎にパターンを設計しなければならず、実際の抵抗値を考慮し、互いの抵抗差を最小限に抑え、かつ、必要以上に配線密度を低下させることなく設計するには時間を要してしまう。
【００１５】
また、図１４に示すように、Ｈスイッチ６４０と対応するビデオ信号線６５０との離間距離にかかわらず、全ての接続配線６６２を最も配線距離の長い接続配線と等しいパターンとして、ビデオ信号線６５０と接続配線６６２との重なり面積、すなわち各接続配線６６２に接続される寄生容量を各接続配線で一致させる方法も考えられる。この方法では、接続配線６６２に接続するビデオ信号線６５０が異なるだけであるため、設計は容易である。しかし、接続配線６６２が、接続する必要のないビデオ信号線６５０と重畳領域を持つため、重畳領域での短絡のリスクを考慮する必要がある。また、各ビデオ信号線６５０に対して接続配線６６２との重畳による寄生容量が接続されることになる。したがって、ビデオ信号線６５０に出力されるビデオ信号の波形なまりを生じ、各データラインに供給されるビデオ信号の精度が低下することで表示のばらつきを生じてしまう。
【００１６】
そこで、本発明では、設計が容易でかつ配線抵抗のばらつき低減を可能とする配線レイアウトを実現する。
【課題を解決するための手段】
【００１７】
本発明は、マトリクス状に配置された画素を備える表示領域と、前記表示領域内の前記複数の画素に表示信号を供給するビデオ信号線と、前記ビデオ信号線から、前記表示領域の対応する列の画素に接続されたデータ線に対し、前記表示信号を選択的に供給するためのスイッチ回路と、を備える表示装置であって、前記ビデオ信号線は、前記表示領域の周辺領域において、前記表示領域の外側に該表示領域の辺に沿って、複数本互いに並んで形成され、前記スイッチ回路は、前記ビデオ信号線と、前記表示領域との間に、データ線毎に設けられ、該スイッチ回路は、データ出力制御信号に応じて、対応する前記ビデオ信号線にコンタクトホールを介して接続された接続配線を、対応する前記データ線に電気的に接続し、前記表示領域に最も近いビデオ信号線と、最も遠いビデオ信号線とで、前記接続配線を前記ビデオ信号線に接続するコンタクトホールの各信号線線幅方向における形成位置が異なる。
【００１８】
本発明の他の態様では、上記のような表示装置であり、少なくとも前記表示領域に最も近いビデオ信号線と、対応する前記接続配線とのコンタクトホールが、該ビデオ信号線の線幅方向の中央よりも前記表示領域に対する遠端側に形成され、少なくとも、前記表示領域から最も遠いビデオ信号線と、対応する前記接続配線とのコンタクトホールは、該ビデオ信号線の線幅方向の中央よりも前記表示領域の近端側に形成されている。
【００１９】
本発明の他の態様では、上記表示装置において、前記ビデオ信号線は、少なくとも３本以上の奇数本設けられ、その内、中央部に配されている前記ビデオ信号線の対応する接続配線とのコンタクトホールは、該ビデオ信号線の線幅方向の中央領域に形成されている。
【００２０】
本発明の他の態様では、上記表示装置において、前記ビデオ信号線は、４本以上設けられ、その内、中央部に形成されている２本以上の前記ビデオ信号線と対応する接続配線とのコンタクトホールは、それぞれのビデオ信号線の線幅方向の中央領域に形成されている。
【００２１】
本発明の他の態様では、上記表示装置において、前記ビデオ信号線は、２ｎ本設けられ（但しｎは、１以上の自然数）、前記表示領域の近接側のｎ本のビデオ信号線では、対応する接続配線とのコンタクトホールが、それぞれのビデオ信号線の線幅方向の表示領域の遠端側に形成され、前記表示領域の遠端側のｎ本のビデオ信号線では、対応する接続配線とのコンタクトホールが、それぞれのビデオ信号線の線幅方向の表示領域の近端側に形成されている。
【００２２】
本発明の他の態様では、マトリクス状に配置された画素を備える表示領域と、前記表示領域内の前記複数の画素に表示信号を供給するビデオ信号線と、前記ビデオ信号線から、前記表示領域の対応する列の画素に接続されたデータ線に対し、前記表示信号を選択的に供給するためのスイッチ回路と、を備える表示装置であって、前記ビデオ信号線は、前記表示領域の周辺領域において、前記表示領域の外側に該表示領域の辺に沿って、複数本、互いに並んで形成され、前記スイッチ回路は、前記ビデオ信号線と、前記表示領域との間に、データ線毎に設けられ、該スイッチ回路は、データ出力制御信号に応じて、対応する前記ビデオ信号線にコンタクトホールを介して接続された接続配線を、対応する前記データ線に電気的に接続し、前記ビデオ信号線は、色毎にそれぞれ複数本設けられて色毎のビデオ信号群を構成し、複数のビデオ信号線群の内、前記表示領域に最も近い群において、前記コンタクトホールは、各ビデオ信号線の線幅方向中央よりも前記表示領域の遠端側に形成され、前記表示領域から最も遠い群では、前記コンタクトホールは、各ビデオ信号線の線幅方向中央よりも前記表示領域の近端側に形成されている。
【００２３】
本発明の他の態様では、上記いずれかの表示装置において、前記接続配線は、対応するスイッチ回路から、接続されるビデオ信号線に向かって延び、かつ、該ビデオ信号線の前記表示領域の遠端側に配置された隣のビデオ信号線の形成領域の手前で終端している。
【００２４】
本発明の他の態様では、上記いずれかの表示装置において、前記コンタクトホールの径をＬで示し、前記ビデオ信号線の線幅をｗで表した場合に、２Ｌ≦ｗを満たす。
【００２５】
本発明の他の態様では、上記いずれかの表示装置において、前記コンタクトホールの形成位置は、前記ビデオ信号線の線幅方向の位置を前記表示領域の近端を０、遠端を線幅に等しいｗで示し、前記コンタクトホールの径を該ｗより小さい自然数Ｌで示すと、各ビデオ信号線の前記表示領域の近端側に形成されるコンタクトホールの中心は、Ｌ／２〜（ｗ／２−Ｌ／２）の間に設けられ、各ビデオ信号線の前記表示領域の遠端側に形成されるコンタクトホールの中心は、（ｗ／２＋Ｌ／２）〜（ｗ−Ｌ／２）の間に設けられる。
【発明の効果】
【００２６】
以上のように本発明によれば、スイッチ回路に対応するビデオ信号線からのビデオ信号を供給するための接続配線が、スイッチ回路の形成領域からの距離の異なるビデオ信号線をそれぞれ接続する場合にも、それぞれの配線抵抗を最大限近づけることができる。また、コンタクトホールの形成位置の調整により、寄生容量や短絡の可能性を必要最小限に抑制しつつ、隣接する接続配線同士における配線長の差を小さくでき、表示領域でばらつきの目立つ隣接データラインに供給される信号のばらつきを緩和できる。さらに、配線途中で蛇行させるなどの特別な設計が不要であり、正確かつ迅速に配線パターンを設計することができる。
【発明を実施するための最良の形態】
【００２７】
以下、本発明の実施形態について、図面に基づいて説明する。
【００２８】
本実施形態において、表示装置は、表示領域の各画素が、画素毎に表示素子を制御するトランジスタなどのスイッチ素子を備えるいわゆるアクティブマトリクス型表示装置である。さらに、この表示領域の周辺には、各画素を制御するための駆動回路が内蔵されている。以下では、各画素の表示素子（被駆動素子）として、電流駆動型のエレクトロルミネッセンス（ＥＬ）素子を用いたアクティブマトリクス型ＥＬ表示装置を例に説明する。
【００２９】
（表示装置の概要構成）
図１は、この実施形態に係るアクティブマトリクス型ＥＬ表示装置の等価回路構成を示す図である。また、図２は、図１のＨドライバ（水平駆動回路）の出力部周辺の配線構造を示している。
【００３０】
ガラスなどのパネル基板上１１０の表示領域１００には、複数の画素がマトリクス状に配置されている。また、表示領域１００のマトリクスの水平走査（行）方向には、順次選択信号が出力されるゲートライン（選択ライン）１０（ＧＬ）が形成されており、垂直走査（列）方向には、データ信号が出力されるデータライン１４（ＤＬ）と、表示素子である有機ＥＬ素子に動作電源（ＰＶＤＤ）を供給するための電源ライン１６（ＰＬ）が設けられている。そして、各画素は、概ねこれらのラインによって定義される領域に構成されている。
【００３１】
各画素の回路構成は、一例として、表示素子として有機ＥＬ素子ＥＬ、画素トランジスタ、所定期間この有機ＥＬ素子が表示すべき内容に応じたデータ（電圧）を保持する保持容量Ｃｓを備える。上記画素トランジスタは、例えば、ｎチャネルのＴＦＴより構成された選択トランジスタＴｒ１及びｐチャネルのＴＦＴより構成された素子駆動トランジスタＴｒ２を備える。
【００３２】
選択トランジスタＴｒ１は、そのドレインが垂直走査方向に並ぶ各画素にデータ電圧を供給するデータライン１４に接続され、ゲート電極が１水平走査ライン上に並ぶ画素を選択するためのゲートライン１０に接続され、そのソースは素子駆動トランジスタＴｒ２のゲート電極に接続されている。
【００３３】
素子駆動トランジスタＴｒ２は、そのソースが電源ライン１６に接続され、ドレインが有機ＥＬ素子ＥＬのアノード（陽極）に接続されている。また、有機ＥＬ素子ＥＬのカソード（陰極）は各画素共通で形成されておりカソード電源ＣＶ(図示しない）に接続されている。
【００３４】
また、素子駆動トランジスタＴｒ２のゲート電極及び選択トランジスタＴｒ１のソースには、保持容量Ｃｓの第１電極が接続され、この保持容量Ｃｓの第２電極は容量ライン１２（ＳＬ）に接続されている。容量ライン１２は、選択ライン１０と平行して行方向に延在形成されている。この容量ライン１２には、所定の定電圧を印加することで、必要なデータの保持が可能であるが、各画素における残像を改善する為に、周期的に電圧が変動する容量信号を供給することも可能である。
【００３５】
上記選択トランジスタＴｒ１及び素子駆動トランジスタＴｒ２は、いずれも、能動層に、半導体材料が用いられ、例えばレーザアニールなどによって多結晶化された多結晶シリコンなど、結晶性シリコンを用い、ゲート電極をマスクとして自己整合的に不純物ドープを行ってトランジスタのチャネル、ソース、ドレイン領域を形成することが可能である。不純物としてそれぞれｎ導電型がドープされたｎチャネル型薄膜トランジスタ（ＴＦＴ）、ｐ導電型がドープされたｐチャンネル型のＴＦＴを採用できる。なお、画素トランジスタの能動層として非晶質シリコンを採用することも可能である。画素回路のトランジスタとして、上記のように結晶性シリコンを能動層に用いたＴＦＴを採用した場合、この結晶性シリコンＴＦＴは、各画素回路だけでなく、各画素を順次選択、制御するための周辺駆動回路の回路素子としても用いることができる。
【００３６】
本実施形態では、上述のように、表示領域１００が形成されるパネル基板１１０において、画素回路用トランジスタの製造と同時に、更に表示領域１００の外側に、画素回路と同様の結晶性シリコンＴＦＴを形成し、周辺駆動回路２００を内蔵する。但し、周辺駆動回路の回路素子として、結晶性シリコンＴＦＴを採用したとしても、画素用トランジスタとして必ずしも結晶性シリコンを採用する構成には限られず、さらには周辺駆動回路の回路素子の能動層に結晶性シリコン以外の半導体材料を用いることもできる。また、周辺駆動回路の回路素子の一部、例えば、後述のＨスイッチ２４０を基板上に内蔵し、或いは、さらにＶ系ドライバ２１０についても基板上に内蔵し、他のＨ系ドライバ２２０の他の回路は外付け回路によって実行する等の構成を採用することもできる。
【００３７】
周辺駆動回路２００は、表示領域１００の周辺の垂直走査方向に沿って設けられたＶ系ドライバ（垂直方向駆動回路）２１０と、水平走査方向に沿って設けられたＨ系ドライバ（水平方向駆動回路）２２０とを有する。Ｖ系ドライバ２１０は、マトリクスの行方向に延びる複数の選択ライン１０に対し、データライン１４に対して１水平走査（１Ｈ）期間毎に対応する画素の第１ＴＦＴｒ１０をオンさせるための選択信号を作成して順次出力する。Ｈ系ドライバ２２０は、マトリクスの列方向に延びる複数のデータライン１４に対して対応するデータ信号を出力する。
【００３８】
Ｈ系ドライバ２２０は、図２に示すように、Ｈ系シフトレジスタ２３０、Ｈスイッチ（Ｈ系スイッチ回路）２４０を備える。Ｈ系シフトレジスタ２３０は、画素の列数に応じた段数のシフトレジスタ（ＳＲ）を備え、水平スタート信号ＳＴＨを水平クロック（画素クロック）ＣＫＨに応じて次段のレジスタに転送し、各レジスタからは順次データ出力制御信号が出力される。
【００３９】
Ｈスイッチ２４０は、各データライン１４に対応してそれぞれ設けられ、かつ、このＨスイッチ２４０は、シフトレジスタ２３０と、表示領域１００との間に、該表示領域１００の垂直走査方向の端部（図２の例では上辺）から等距離の位置に設けられている。
【００４０】
Ｈスイッチ２４０と、Ｈ系シフトレジスタ２３０との間には、表示領域１００の外側にこの領域の辺、具体的には水平走査方向に沿って、複数本のビデオ信号線２５０が並んで設けられている。各ビデオ信号線２５０には、外部からのビデオ信号が供給され、このビデオ信号線２５０は、例えば、色毎に設けられ、図２の例では、Ｒ（赤）、Ｇ（緑）、Ｂ（青）表示用の各ビデオ信号線２５０ｒ、２５０ｇ、２５０ｂを備える。
【００４１】
また、Ｈスイッチ２４０は、上記画素部トランジスタや、シフトレジスタを構成する駆動部トランジスタなどと同時に基板上に形成する薄膜トランジスタを用いて構成することができる。このようなＨスイッチ２４０を構成する薄膜トランジスタのゲート電極は、Ｈ系シフトレジスタ２３０の各レジスタの出力部に接続されている。ソース・ドレインの一方は、接続配線２６０を介して、Ｒ，Ｇ，Ｂのいずれか１つのビデオ信号線２５０に接続され、他方は対応するデータライン１４に接続されている。Ｈ系シフトレジスタ２３０の対応するレジスタ段からデータ出力制御信号が出力されると、これはＨスイッチ２４０のゲート電極１１８ｈに供給されＨスイッチ２４０はオンし、ソースドレイン間が導通する。よって、このときソースドレインの一方が接続されているビデオ信号線２５０に対応するデータライン１４が接続されることとなり、ビデオ信号線２５０に印加されているビデオ信号電圧に応じて、データライン１４が充電され、ビデオ信号に応じたデータ信号がこのデータライン１４に書き込まれる。
【００４２】
各Ｈスイッチ２４０のソースドレインの他方と、対応するデータライン１４とを接続するコンタクト部（後述するコンタクトホールｈ２２）は、表示領域１００の端部から等距離の位置に設けられており、このコンタクト部からの各データライン１４までの配線抵抗は、互いに等しくなっている。
【００４３】
これに対し、対応するＨスイッチ２４０のソースドレインの一方と、ビデオ信号線２５０とを接続するため接続配線２６０は、上述のように水平走査方向に沿って延びるビデオ信号線２５０が複数本並列配置されている。このため、各ビデオ信号線２５０に対して最短距離で配線すると、接続されるビデオ信号線２５０によって、配線長が異なり、ビデオ信号線２５０毎に配線抵抗に差が発生する。
【００４４】
本実施形態では、このビデオ信号線２５０からデータライン１４までの間の配線抵抗の差が、ビデオ信号線２５０毎に大きくならないように、接続配線２６０と対応するビデオ信号線２５０とのコンタクト（コンタクトホールｈ２５）の位置を調整している。
【００４５】
具体的には、表示領域１００に最も近いビデオ信号線２５０ｎ（図２の例では、２５０ｂ）と、最も遠いビデオ信号２５０ｆ（図２の例では、２５０ｒ）と、対応する接続配線２６０とのコンタクトホールｈ２５を、中央のビデオ信号線２５０ｃ（図２の例では、２５０ｇ）に近い位置にそれぞれ設けている。なお、中央のビデオ信号線２５０ｃに対するコンタクトホールｈ２５は、その線幅方向の中央部に配置されている。
【００４６】
これにより、中央のビデオ信号線２５０に対する接続配線２６０の配線長に、表示領域からの遠端側、近接側のビデオ信号線２５０に対する接続配線２６０の配線長を近づけることができ、図２の例では、３本のビデオ信号線２５０に接続される接続配線２６０の配線抵抗の差を小さくでき、簡易な方法により、接続されるビデオ信号線毎に表示輝度に大きな差が発生することを防止できる。
【００４７】
図３は、図２のＡ−Ａ線に沿ったＨスイッチ２４０の断面構造の一例を示す。また図４は、このＨスイッチ２４０が接続されるデータラインに対応する画素の選択トランジスタ及び素子駆動トランジスタの概略断面構造の一例を示す。
【００４８】
図３及び図４の例では、ガラスなどの絶縁性基板１１０の上に、ＳｉＮとＳｉＯ2がこの順に積層されたバッファ層１１２が形成され、バッファ層１１２の上には、成膜した非晶質シリコンを積層し、レーザアニールなどにより多結晶化して多結晶シリコン層を形成し、各薄膜トランジスタの能動層１１４に必要な形状にパターニングする。この多結晶シリコン層１１４を覆って基板全面には、ゲート絶縁膜１１６を形成する。このゲート絶縁膜１１６は、一例として、多結晶シリコン層１１４側からＳｉＯ2、ＳｉＮを順に形成された積層構造を備える。
【００４９】
ゲート絶縁膜１１６の上の所定領域には、Ｃｒ、Ｍｏ等の高融点金属材料層がパターニングされ、ゲート電極１１８、ゲートライン１０、各画素の保持容量の一方の電極の電位を制御するための容量ライン１２及び接続配線２６０が形成されている。
【００５０】
ゲート電極１１８は、図４に示す画素部の選択トランジスタＴｒ１及び素子駆動トランジスタＴｒ２では、それぞれゲート電極１１８ｓ、１１８ｄである。ここで、ゲートライン１０は、選択トランジスタＴｒ１のゲート電極１１８ｓと一体的に形成されている。
【００５１】
一方、Ｈ系ドライバ領域では、図３に示すように、この高融点金属材料層は、それぞれパターニングされ、後に上層に形成されるビデオ信号線２５０と、Ｈスイッチ２４０のドレイン（又はソース）と、を接続する接続配線２６０として用いられ、また、Ｈ系ドライバのシフトレジスタの対応する段のレジスタの出力端に接続されたゲート電極１１８ｈとして用いられる。
【００５２】
各トランジスタのゲート電極１１８を形成後には、このゲート電極１１８をマスクとして各トランジスタの形成領域の多結晶シリコン層１１４に対し、トランジスタの導電型に応じたｎ型又はｐ型の不純物をドープする。このため多結晶シリコン層１１４のゲート電極１１８に覆われた領域は不純物がドープされず真性のチャネル領域ｃｈとなり、チャネル領域ｃｈの両側には不純物がドープされたソース領域ｓ、ドレイン領域ｄがそれぞれ形成される。
【００５３】
不純物のドープ後、ゲート電極１１８、ゲートライン１０及び容量ライン１２を覆う基板全面には、一例としてＳｉＮとＳｉＯ2がこの順に積層された層間絶縁層１２０を形成する。
【００５４】
次に、画素部では、トランジスタのソース領域ｓドレイン領域ｄに対応する位置に層間絶縁層１２０及びゲート絶縁膜１１６を貫通するコンタクトホールが形成される。さらに、コンタクトホールを埋めるように、Ａｌなどの高い導電性を有する金属配線材料層が形成され、所望の配線形状にパターニングされる。この金属配線材料層は、図４に示す画素部では、コンタクトホールｈ２６を介して選択トランジスタＴｒ１のドレイン（又はソース）に接続されてデータ信号を供給するためのデータライン１４であり、また、選択トランジスタＴｒ１のソース（又はドレイン）と、素子駆動トランジスタＴｒ２のゲート電極１１８ｄとを接続するための配線（図示せず）として用いられる。また、素子駆動用薄膜トランジスタＴｒ２のソース（又はドレイン）に接続され、電源（ＰＶＤＤ）からの電流を供給する電源ライン１６としても用いられている。
【００５５】
一方、Ｈ系ドライバ領域では、層間絶縁層１２０を貫通してコンタクトホールｈ２５が形成され、ゲート電極材料と同じ高融点金属材料を用いた接続配線２６０のコンタクト領域を露出する。よって、このコンタクトホールｈ２５を埋めるように上記金属配線材料層を用いて、ビデオ信号線２５０が配線されることで、このビデオ信号線２５０は、先に形成された対応する接続配線２６０とコンタクトホールｈ２５を介して接続される。
【００５６】
また、Ｈスイッチ２４０のドレイン領域及びソース領域は、本実施形態では、いずれも、層間絶縁層１２０及びゲート絶縁膜１１６を貫通して形成されたコンタクトホールｈ２１，ｈ２２を介して、ビデオ信号線２５０やデータライン１４等と同じ金属材料層によって形成されたドレイン電極及びソース電極と接続されている。また、ドレイン電極１３０ｄ（又はソース電極１３０ｓ）は、上記接続配線２６０に層間絶縁層１２０を貫通して形成されたコンタクトホールｈ２３を介して接続され、ソース電極１３０ｓ（又はドレイン電極１３０ｄ）は、データライン１４に接続されている。
【００５７】
なお、原理的にはＨスイッチ２４０のソース電極１３０ｓは、データライン１４に電気的に接続されていればよいため、データライン１４がＨスイッチ２４０のソース電極１３０ｓを兼用することができる。しかし、本実施形態においては、図３に示すように、共に同一材料をパターニングして形成したＨスイッチ２４０のソース電極１３０ｓと、データライン１４とを、画素部周辺部において、ゲート電極などと同じ高融点金属材料層を用いたデータ中間配線１４０を介して接続している。このように、表示領域のデータライン１４と、ドライバ部からの出力配線との間に、データライン１４と別の層を用いて接続する領域を設けることにより、これらが接続されるまでは、ドライバ部と、データラインに接続された表示領域とを電気的に分離しておくことができる。よって、基板上に上述のようなトランジスタや配線の製造中に、データライン１４を介して表示領域内に静電気が侵入し、選択トランジスタや素子駆動トランジスタなどが静電破壊を起こすことを防止できる。また、同様の目的から、本実施形態では、Ｖ系ドライバからゲート信号が順次供給されるゲートラインについても、表示領域の周辺部で、ゲートラインとは別の金属配線をゲート中間配線として用いてＶ系ドライバと接続する構成を採用している。具体的にはこの他のゲート中間配線は、データライン１４等に用いられる金属配線層を同時にパターニングした配線層を採用することができる。このようなゲート中間配線構成を採用することにより、この配線によってゲートラインがＶ系ドライバ部と接続されるまでゲートラインを介して静電気が外部から侵入することを防止できる。
【００５８】
なお、Ｈスイッチ２４０の接続配線２５０や、データライン１４、電源ライン１６等を形成した後、これらを覆って有機樹脂などからなる第１平坦化絶縁層１２０が形成される。この第１平坦化絶縁層１２０には、素子駆動トランジスタＴｒ２のドレイン電極に対応する部分にコンタクトホールが形成され、このコンタクトホールを埋めるようにして、画素毎に個別パターンの第１電極１２４を積層、パターニングされる。この第１電極１２４は、ＥＬ表示装置が基板１１０側からＥＬ素子からの光を射出するいわゆるボトムエミッション型である場合、ＩＴＯ（Indium Tin Oxide）等の透明導電性金属酸化物を利用することができる。第１電極１２４のパターニング後、この第１電極１２４のエッジ部分と画素間領域を覆うようにさらに有機樹脂などからなる第２平坦化絶縁層１２６が形成される。この第２平坦化絶縁層１２６は、図４に示されるように、第１電極１２４形成領域のの内側領域において開口しており、この開口領域が実質的な各画素のＥＬ素子の発光領域を規定する。
【００５９】
第２平坦化絶縁層１２６形成後、発光素子層３００が例えば真空蒸着法などによって積層される。発光素子層３００は、少なくとも発光層３１６を備え、発光材料等の機能により単層や、多層構造が採用される。図４の例では、発光素子層３００は、第１電極１２４側から正孔注入層３１２、正孔輸送層３１４、発光層３１６、電子輸送層３１８を備える。この発光素子層３００の上に、この例では、各画素共通の第２電極３２０が形成されている。第２電極３２０は、一例として、発光素子層３００側にＬｉＦ等からなる非常に薄い電子注入層３２２と、Ａｌなどを用いた厚い金属層３２４の積層構造を備える。第２電極３２０を覆う基板全面には、さらにＥＬ素子を水分や酸素などから保護するための保護膜３４０が形成されている。なお、図４の例では、発光層３１６は、白色発光機能を備え、この白色光をカラーフィルタＣＦによってＲ，Ｇ，Ｂ等のフルカラー表示に必要な所望の色の光として外部に射出している。カラーフィルタＣＦは基板１１０の射出側面に設けることもできるし、基板１１０と第１電極１２４との間（図４では層間絶縁膜１２０と第１平坦化絶縁層１２２の層間）などに形成することができる。発光層３１６が、画素毎に直接所望の色の光を発する場合、少なくとも発光層３１６に用いる材料が異なるので、発光層３１６は、画素毎に個別のパターンとなるよう成膜時にマスクなどを用いて所望パターンとする。該個別発光の場合、カラーフィルタＣＦは省略することができる。このようにして第１電極１２４と第２電極３２０の間に発光素子層３００を備える有機ＥＬ素子が、先に形成したトランジスタの上層に形成される。第１電極１２４と第２電極３２０は、一方が陽極、他方が陰極となり、一例として、下層の第１電極１２４が陽極、上層の第２電極３２０が共通陰極として機能する。そして、第１電極１２４と第２電極３２０とが、間に直接発光素子層３００を挟んで対向する領域において発光層３１６に電子と正孔が供給され、光を得ることができる。
【００６０】
（コンタクト位置の説明）
上述のように、本実施形態では、Ｈスイッチ２４０とビデオ信号線２５０とを接続する接続配線２６０と、対応するビデオ信号線２５０とのコンタクト位置を調整することで、ビデオ信号線２５０からＨスイッチ２４０迄の配線抵抗値を近づけている。なお、データライン毎の配線抵抗のばらつきを抑制するため、Ｈスイッチ２４０から対応するデータラインの表示領域迄の配線距離は、それぞれ等しく設定している。よって、本実施形態では、接続配線２６０の配線長のみが、対応するビデオ信号線２５０の位置によって異なる。以下、コンタクト位置の調製の具体的方法及びその効果について説明する。
【００６１】
ビデオ信号線と接続配線とのコンタクト位置を調整することは、上記のようにビデオ信号線２５０が３本の場合には限らず、２本以上の複数本が、表示領域の周辺部分に並列配置された場合に適用可能である。ここで、各ビデオ信号線の線幅をｗで表し、このビデオ信号線と対応する接続配線とを接続するためのコンタクトホールの径（ビデオ信号線の線幅方向での径）をＬで示すと、本実施形態では、２Ｌ≦ｗを満たす。つまり、コンタクトホールの径が、ビデオ信号線の線幅ｗよりも２分の１以上小さい関係を満たすように設定されている。したがって、コンタクトホール位置、即ち、接続配線２６０と対応するビデオ信号線２５０とのコンタクト位置をそのビデオ信号線２５０の表示領域からの位置に応じて調整することが容易となる。一例として、コンタクトホールは、図２に示すように４角形であり、１辺の長さ（Ｌ）は、１０μｍ程度とすることができ、この場合ビデオ信号線の配線幅は、２０μｍ以上に設定されている。
【００６２】
コンタクトホールｈ２５の形状は、その径が上記のように配線幅よりも２分の１以下となり、かつ、上下層の導通が取れる範囲において特に限定されないが、図２のように４角形が採用可能である。もちろん、Ｌの直径を持つ円形であっても良い。
【００６３】
さらに、ビデオ信号線の線幅方向の表示領域の近端を０、遠端を線幅に等しいｗで示し、上記のようにコンタクトホールの径をｗより小さい自然数Ｌで示す場合、各ビデオ信号線の表示領域の近端側に形成されるコンタクトホールの中心は、Ｌ／２〜（ｗ／２−Ｌ／２）の間に設ける。また、各ビデオ信号線の表示領域の遠端側に形成されるコンタクトホールの中心は、（ｗ／２＋Ｌ／２）〜（ｗ−Ｌ／２）の間に設ける。このコンタクトホールの中心位置は、ビデオ信号線２５０の配線数や、線幅などによって決まるＨスイッチ２４０から接続されるビデオ信号線２５０までの距離の最大長と最短長の差に応じて、Ｌ／２〜（ｗ／２−Ｌ／２）と、（ｗ／２＋Ｌ／２）〜（ｗ−Ｌ／２）のどの位置にするかを決定することが好適である。
【００６４】
・ビデオ信号線２本の場合
２本のビデオ信号線２５０が並列配置された場合について説明する。図５に示すように、ビデオ信号線２５０が２本の場合、表示領域近接側のビデオ信号線２５０ｎと接続配線２６０ｎとのコンタクト位置と、表示領域遠端側のビデオ信号線２５０ｆと接続配線２６０ｆとのコンタクト位置とを、互いに２本のビデオ信号線２５０の中間側に設定する。具体的には、近接側ビデオ信号線２５０ｎに対しては、その線幅方向の中央よりも表示領域遠端側であって、上記のように（ｗ／２＋Ｌ／２）〜（ｗ−Ｌ／２）の間が中心となるように、接続配線２６０ｎと接続するためのコンタクトホールを形成する。そして、少なくともこのコンタクトホール位置まで延在形成されて、コンタクトホール底部に露出する接続配線２６０ｎと近端側ビデオ信号線２５０ｎとの電気的な接続をとる。
【００６５】
逆に遠端側ビデオ信号線２５０ｆに対しては、その線幅方向の中央よりも表示領域近接側で、Ｌ／２〜（ｗ／２−Ｌ／２）の間が中心となるように、接続配線２６０ｆと接続するためのコンタクトホールを形成する。これにより、少なくともこのコンタクトホール位置まで延在形成され、上記同様にコンタクトホール底部に露出する接続配線２６０ｆと遠端側ビデオ信号線２５０ｆとの電気的な接続をとる。
【００６６】
ここで、近接側ビデオ信号線２５０ｎと接続配線２６０ｎとのコンタクト位置を（ｗ−Ｌ／２）の位置とし、遠端側ビデオ信号線２５０ｆと接続配線２６０ｆとのコンタクト位置をＬ／２の位置とすれば、２つの接続配線２６０ｎ，２６０ｆの配線抵抗の差を最小限とすることができる。
【００６７】
・ビデオ信号線３本の場合
３本のビデオ信号線２５０を並列配置する場合には、既に図２を参照して説明したとおりであり、中央のビデオ信号線２５０のみ、その線幅方向の中央において対応する接続配線２６０ｃと接続し、残りの２本のビデオ信号線２５０と対応する接続配線とは、それぞれ中央のビデオ信号線２５０側に寄せた位置に形成したコンタクトホールにおいて電気的接続をする。
【００６８】
・ビデオ信号線４本以上で、偶数本の場合
４本以上のビデオ信号線を並列配置する場合には、以下のように配置する。２ｎ（ｎは１以上の自然数）本の場合、つまり、４本以上の偶数本のビデオ信号線を配列する場合、表示領域に近いｎ本のビデオ信号線と、対応する接続配線とのコンタクト位置は、各ビデオ信号線の線幅方向における表示領域遠端側に形成する。逆に、表示領域から遠いｎ本のビデオ信号線と、対応する接続配線とのコンタクト位置は、この遠端側のビデオ信号線の線幅方向における表示領域近端側に形成する。具体的なコンタクトホールの形成位置は、上記の通り近接側ビデオ信号線群では、各ビデオ信号線の線幅方向の表示領域遠端側で、（ｗ／２＋Ｌ／２）〜（ｗ−Ｌ／２）の間とし、遠端側ビデオ信号線群に対してその線幅方向の表示領域近接側で、Ｌ／２〜（ｗ／２−Ｌ／２）の間にする。設計上の観点からは、近接側ビデオ信号線群の全てについて、各信号線線幅方向で同じ位置にコンタクトホールｈ２５を形成し、遠端側ビデオ信号線群の全てについて各信号線線幅方向で同じ位置にコンタクトホールｈ２５を形成することが容易である。しかし、表示領域からのビデオ信号線の距離に応じて、コンタクトホールの中心位置を、近接側ビデオ信号線群では、（ｗ／２＋Ｌ／２）〜（ｗ−Ｌ／２）の間で順次変更し、遠端側ビデオ信号線群では、Ｌ／２〜（ｗ／２−Ｌ／２）の間で順次変更しても良い。
【００６９】
図６は、４本のビデオ信号線を並列配置した場合のＨスイッチ周辺の概略平面構成を示している。４本のビデオ信号線は、例えば、上述のようなＲ，Ｇ，Ｂ用の３本のビデオ信号線に加え、さらに白（Ｗ）表示用のビデオ信号線２５０ｗを備える等の場合に採用される。表示領域１００においては、Ｒ，Ｇ，Ｂ表示画素の他に、白（Ｗ）表示画素が設けられ、対応する白表示画素にデータ信号を供給するための上記ビデオ信号線２５０ｗが、Ｒ，Ｇ，Ｂのビデオ信号線２５０ｒ，２５０ｇ，２５０ｂと並んで配線されている。なお、Ｗ表示画素は、表示輝度、特に自然画像などの白成分の多い表示をする際に発光させることで、Ｗ表示の場合、通常最大輝度での発光が必要となるＲ，Ｇ，Ｂ表示画素における負荷を削減しつつ、表示輝度の向上を図ることができる。各ビデオ信号線２５０ｒ、ｇ、ｂ、ｗと対応する接続配線２６０とのコンタクト位置は、各ビデオ信号線２５０ｒ、ｇ、ｂ、ｗの配線位置に応じ、線幅方向の中央よりも表示領域に対する近端側か遠端側かを決定している。つまり、いずれのビデオ信号と接続配線とのコンタクト位置も、４本の中の２番目と３番目のビデオ信号線の中央位置側に寄せて形成している。
【００７０】
ここで、Ｈスイッチ２４０つまり表示領域に最も近いビデオ信号線としては、各ビデオ信号線に供給されるビデオ信号Ｖsigの振幅が異なる場合において、最も振幅の大きいビデオ信号の供給される信号線を採用することが好適である。各ビデオ信号線には対応する色の信号が供給される構成の場合において、例えば、有機ＥＬ素子の特性上、Ｒ，Ｇ，Ｂのうち、Ｂ発光輝度が最も低い場合、正確な白を表示するためには、Ｂ用のビデオ信号Ｖsigを最も大きくしてＢ表示用の画素の発光輝度を向上させる必要がある。この場合には、複数本並列配置されるビデオ信号の内、Ｂ用のビデオ信号線２５０ｂを表示領域に最も近い位置に配置することが好適である。
【００７１】
上述のように、ビデオ信号線の表示領域からの離間距離に応じて接続配線２６０とのコンタクト位置を調整しても、ビデオ信号線毎にデータライン１４までの配線抵抗は完全には同一とはならない。したがって、この多少の配線抵抗の差を考慮して、印加されるビデオ信号の振幅の一番大きいビデオ信号線２５０を表示領域の一番近くに配置すれば、ビデオ信号をＨスイッチ２４０を介して対応するデータライン１４に書き込む際の書き込み時間の差を低減でき、大きな振幅のビデオ信号を確実にデータライン１４に供給できる。また、印加されるビデオ信号Ｖsigの振幅が最も小さいビデオ信号線２５０を表示領域から一番遠い位置に配置することにより、ビデオ信号Ｖsigの振幅の差に応じた書き込み時間の差を低減でき、各データラインに、より短時間でばらつきのない表示データを書き込むことが可能となる。
【００７２】
図６の例では、Ｂ用のビデオ信号Ｖsigｂの振幅が一番大きく、Ｗ用のビデオ信号Ｖsigｗの振幅が一番小さいため、表示領域側に一番近い位置にＢ用ビデオ信号線２５０ｂが配線され、一番遠い位置にＷ用ビデオ信号線２５０ｗが配線されている。なお、Ｇ用ビデオ信号線２５０ｇと、Ｒ用ビデオ信号線２５０ｒについては、図６の例では、Ｇ用ビデオ信号線２５０ｇを表示領域側に配置している。なお、４色の場合に限られず、例えば、図２に示すようなＲ，Ｇ，Ｂ３色のビデオ信号線を設ける場合にも、印加される信号の振幅に応じて、上記と同様、この信号を印加するビデオ信号線を決めることが好適である。このようにビデオ信号線の位置によって、印加するビデオ信号線を決めることで、ホワイトバランスなどの調整を行うことができ、表示品質の向上に寄与できる。
【００７３】
・ビデオ信号４本以上で奇数本の場合
４本以上の奇数本のビデオ信号線が並列配置される場合には、真ん中の位置のビデオ信号線２５０ｃと、対応する接続配線２６０ｃとのコンタクト位置のみ該ビデオ信号線２５０ｃの線幅方向の中央とする。他の表示領域の遠端側と遠端側のビデオ信号線と対応する接続配線とのコンタクト位置は、上記と同様に、それぞれ中央のビデオ信号線２５０ｃに近い位置に設ける。
【００７４】
・ビデオ信号線４本以上の場合の他の例１
４本以上のビデオ信号線が並列配置される場合において、図７に示すように、表示領域に最も近いビデオ信号線２５０ｎと、最も遠いビデオ信号線と対応する接続配線２６０のみ、複数本のビデオ信号線２５０の中央側のビデオ信号線に近い位置にコンタクトホールを形成してもよい。この場合、残りのビデオ信号線２５０ｃと対応する接続配線２６０とのコンタクト位置は、各信号線の線幅方向の中央とする。
【００７５】
・ビデオ信号線４本以上の場合の他の例２
Ｒ，Ｇ，Ｂ等の表示色毎にビデオ信号線２５０が設けられ、かつ、各色に対してそれぞれ２本以上のビデオ信号線が設けられる場合には、図８に示すようなコンタクト位置調整方法を採用することができる。
【００７６】
図８の例では、Ｒ，Ｇ，Ｂ用にそれぞれ４本のビデオ信号線２５０r1〜r4、２５０g1〜g4、２５０b1〜b4が設けられている。このうちＢ用のビデオ信号線２５０b1〜b4群が、最も表示領域の近くに配置され、Ｒ用のビデオ信号線２５０r1〜r4群が、最も表示領域から遠くに配置されている。なお、これらの色毎のビデオ信号線群の配置順は、上記の通り、印加されるビデオ信号の振幅の大きさに応じて決定することが好適である。
【００７７】
表示領域に最も近いビデオ信号線群２５６ｎとこれにそれぞれ対応する接続配線２６０ｎとのコンタクト位置（ｈ２５ｎ）は、いずれも各信号線の表示領域の遠端側（この例では、その中心は、各配線のｗ−（Ｌ／２）付近の位置）に設けられている。逆に、表示領域から最も遠いビデオ信号線群２５６ｆと、これにそれぞれ対応する接続配線２６０ｆとのコンタクト位置（ｈ２５ｆ）は、いずれも各信号線の表示領域の近端側（この例では、その中心は各配線のＬ／２の付近の位置）に設けられている。中央のビデオ信号線群２５６ｃと対応する接続配線２６０ｃとのコンタクト位置（ｈ２５ｃ）は、各信号線の線幅方向の中央に設けられている。各色のビデオ信号について複数本のビデオ信号線が設けられている場合にも、このような規則性を持たせて接続配線とのコンタクト位置を調製することで、設計が容易でかつ配線抵抗の差によるデータ書き込み時間（遅延時間）の差を最小限とすることが可能となる。
【００７８】
次に、図８に示すようなコンタクト位置の調整を行った本実施形態のパネルの場合と、図９に示すようにコンタクト位置を調整しない比較例のパネルの場合におけるビデオ信号のデータラインへの書き込み遅延時間の比較結果について説明する。
【００７９】
比較例のパネルでは、図９に示すように、いずれのビデオ信号線と接続配線とのコンタクト位置も各信号線の中央としている。他の条件は、本実施形態にかかるパネルの場合と同一とし、Ｒ，Ｇ，Ｂ各色のビデオ信号は４相で、表示領域側からＢ用、Ｇ用、Ｒ用のビデオ信号線をそれぞれ、同じ線幅で４本ずつ並列配置し、接続配線の対応するビデオ信号線とのコンタクト部の大きは１０μｍ平方（コンタクトホールのビデオ信号線の線幅方向の長さ）とした。
【００８０】
比較結果は、図１０に示すとおりであり、ビデオ信号線の配線幅ｗが１．０（任意単位a.u）の場合、コンタクト位置を調整した本実施形態にかかるパネルと、調整しない比較例のパネルとで、データラインへのビデオ信号書き込み遅延時間に差はほとんどない。
【００８１】
しかし、各ビデオ信号線２５０の線幅ｗを５倍大きくした場合には、本実施形態のパネルでは、表示領域から最遠位置のビデオ信号線に供給されるＲ用ビデオ信号のデータラインへの書き込み時間（遅延時間）は、比較例のパネルと比較して短くなる。逆に、表示領域から最近位置のビデオ信号線に供給されるＢ用ビデオ信号のデータラインへの書き込み時間（遅延時間）は、比較例のパネルよりも長くなる。具体的には、ビデオ信号線の配線幅ｗがその５．０の場合、本実施形態にかかるパネルでは、比較例のパネルに対し、遅延時間差が約１０％低減している。このように、本実施形態のように、コンタクト位置を調整することによって、表示領域から最遠位置のビデオ信号からデータラインへの書き込み遅延と、最近位置のビデオ信号からデータラインへの書き込み遅延との差の低減効果が、ビデオ信号線の配線幅が大きくなるほど高くなる。
【００８２】
また、上記図１０では、ビデオ信号線の配線幅ｗを広くした場合のデータラインへの書き込み時間を評価しているが、ビデオ信号線の配線数が多くなった場合においても、表示領域の最遠位置と最近位置との距離が大きくなるため本実施形態のように、ビデオ信号線と接続配線とのコンタクト位置を調整することで、遠端側と近接側の各ビデオ信号線からのデータラインへの信号書き込み時間の差を緩和する高い効果が得られる。
【００８３】
パネルの高精細化、大画面化、多色化などに伴い、ビデオ信号線の本数の増加や、ビデオ信号線の線幅の増大が進む。従って、本実施形態のようにコンタクト位置を調整することによる、書き込み時間の差の緩和、つまり、書き込みばらつきを低減することで、データライン毎に表示輝度にムラが出るなどを防止でき、表示品質の維持、向上を図ることが可能となる。
【００８４】
以上の説明では、各ビデオ信号線２５０には、表示色に応じた複数のビデオ信号のうち、対応する色についてのビデオ信号が供給され、このビデオ信号線２５０に接続配線２６０とＨスイッチ２４０を介して接続されるデータライン１４には特定の色のビデオ信号が供給されている。このような場合、表示領域において、各データライン１４には、画素配列がいわゆるストライプ配列であっても、デルタ配列であっても、対応する色の画素が接続されている。一方、データライン１４に接続される画素が行毎に異なる色の画素である場合、このデータライン１４がＨスイッチ２４０と接続配線２６０を介して接続されるビデオ信号線２５０には、対応する画素に供給するため、複数のビデオ信号が順次供給される。このような場合においても、高速駆動のため複数のデータラインへの並列データ書き込みを実行するディスプレイを実現するには、複数本のビデオ信号線２５０を並列配置して用いる。そこで、複数の表示色のビデオ信号がそれぞれ供給されるビデオ信号線２５０が並列配置される場合においても、上述と同様、対応するビデオ信号線２５０と接続配線２６０とのコンタクト位置を調整することにより、データライン毎に書き込み遅延量に大きな差が発生することを防止することができ、表示ムラを抑制して表示品質の高いディスプレイを得ることができる。
【００８５】
また、各画素に割り当てられた表示色は、上記Ｒ，Ｇ，Ｂ、或いはさらにＷとした場合について説明したが、もちろんこれには限らず、別の色であったり、或いは３原色以外の色をさらに追加で採用し、これに対応する画素及びビデオ信号線を設ける構成にも同様に適用可能である。
【００８６】
（接続配線終端位置）
次に、接続配線の終端位置について説明する。以上の説明では、Ｈスイッチ２４０から延びる接続配線２６０は、対応するビデオ信号線２５０との接続位置、つまりコンタクトホールｈ２５形成位置で終端している。しかし、図１１に示すように、コンタクトホールを介して接続されるビデオ信号線の終端領域（該ビデオ信号線の表示領域からの遠端領域）まで延在形成しても良い。このように接続配線の終端位置を、接続されるビデオ信号線の遠端部周辺までとすることで、特に、画素領域から遠端側に配置されるビデオ信号線に接続される接続配線の配線面積を向上させることができる。つまりこの接続配線は、上述の規則に従って、ビデオ信号線の表示領域に近接する側において形成されるコンタクトホールによってビデオ信号線に接続されるが、コンタクトホール形成領域からさらに接続配線層が延在するため配線面積が拡大し、配線抵抗の低減に寄与することができる。
【００８７】
なお、この場合であっても、表示領域の遠端側にさらに隣接してビデオ信号線が存在する場合には、この隣接する遠端側のビデオ信号線の形成領域の手前までの間に上記接続配線が終端していることが好適である。これにより、層間絶縁層１２０等の絶縁不良により、接続配線と、接続対象でないビデオ信号線とが短絡（隣接ビデオ信号線同士が短絡）することを防止できる。さらに、接続配線と、本来必要のないビデオ信号線とが交差する箇所を低減できるため寄生容量を最小限として、データラインへの書き込み速度を向上させることにも寄与する。
【００８８】
図１０のように接続配線の終端位置をコンタクト位置から延ばすことにより、表示領域から遠端側に位置するビデオ信号線と対応するＨスイッチとの接続配線面積を増大でき、この接続配線の抵抗を低減することが可能となる。また、特に表示領域から遠端側に位置するビデオ信号線と接続配線とを接続するためのコンタクトホールの形成位置のずれに対する許容範囲を拡大することも可能となる。
【図面の簡単な説明】
【００８９】
【図１】本発明の実施形態に係るアクティブマトリクス型ＥＬ表示装置の等価回路構成を示す図である。
【図２】図１のＨ系ドライバの出力部周辺のの配線構造を示す図である。
【図３】図２のＡ−Ａ線に沿ったＨスイッチ２４０の断面構造の一例を示す図である。
【図４】Ｈスイッチ２４０が接続されるデータラインに対応する画素の選択トランジスタ及び素子駆動トランジスタの概略断面構造の一例を示す図である。
【図５】４本のビデオ信号線が並列配置された場合のＨスイッチ周辺の概略平面構成を示す図である。
【図６】４本のビデオ信号線が並列配置された場合の図５とは別のコンタクト位置の調整方法を示す図である。
【図７】４本のビデオ信号線が並列配置された場合の図６とは別のコンタクト位置の調整方法を示す図である。
【図８】実施形態のパネルにおけるビデオ信号線と接続配線とのコンタクト位置を説明する図である。
【図９】比較例のパネルにおけるビデオ信号線と接続配線とのコンタクト位置を説明する図である。
【図１０】本実施形態のパネルと比較例のパネルとで書き込み遅延量の比較結果を示す図である。
【図１１】本発明の実施形態に係る接続配線の他の延在構造を説明する図である。
【図１２】従来技術にかかるＨスイッチ領域の配線構造を示す図である。
【図１３】従来技術にかかる配線抵抗の差を軽減するためのＨスイッチ領域の配線構造を示す図である。
【図１４】従来技術にかかる配線抵抗の差を軽減するためのＨスイッチ領域の図１３とは別の配線構造を示す図である。
【符号の説明】
【００９０】
１０  選択ライン、１２  容量ライン、１４  データライン、１６  電源ライン、１００  表示領域、１１０  パネル基板、１１２  バッファ層、１１４  能動層（多結晶シリコン層）、１１６  ゲート絶縁膜、１１８  ゲート電極、１２０  層間絶縁層、１３０ｓ  ソース電極、１３０ｄ  ドレイン電極、１４０  データ中間配線、２００  ドライバ（周辺駆動回路）、２１０  Ｖ系ドライバ、２２０  Ｈ系ドライバ、２４０  Ｈスイッチ、２５０，２５０ｒ，２５０ｇ，２５０ｂ，２５０ｗ  ビデオ信号線、２６０  接続配線、２６０ｃ  中央接続配線、２６０ｆ  遠端側接続配線、２６０ｎ  近接側接続配線。
【図１】
2007240670.tif 000003
【図２】
2007240670.tif 000004
【図３】
2007240670.tif 000005
【図４】
2007240670.tif 000006
【図５】
2007240670.tif 000007
【図６】
2007240670.tif 000008
【図７】
2007240670.tif 000009
【図８】
2007240670.tif 000010
【図９】
2007240670.tif 000011
【図１０】
2007240670.tif 000012
【図１１】
2007240670.tif 000013
【図１２】
2007240670.tif 000014
【図１３】
2007240670.tif 000015
【図１４】
2007240670.tif 000016